Podtech/llm-jp-corpus-v4-ja_patent huggingface dataset:
【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
液不透過性のバックシートと、
高吸収性を有するポリマーを散在させた吸収体と、
液透過性のトップシートとを下からこの順に設け、周縁部を熱融着させるとともに、前記トップシート側である使用面にエンボス加工が形成された女性用失禁パッドにおいて、
前記エンボス加工が前記周縁部の内周にわたって不連続に形成され、
該形成されたエンボス加工が略矩形であり、
該エンボス加工の非形成部分が対称に４箇所あることを特徴とする女性用失禁パッド。
【請求項２】
前記エンボス加工の非形成部分の長さが２〜１０ｍｍであることを特徴とする請求項１に記載の女性用失禁パッド。
【請求項３】
前記トップシートと前記吸収体との間に液透過性のセカンドシートを備えることを特徴とする請求項１に記載の女性用失禁パッド。
【手続補正２】
【補正対象書類名】明細書
【補正対象項目名】０００５
【補正方法】変更
【補正の内容】
【０００５】
このため、請求項１に記載の発明は、液不透過性のバックシートと、
高吸収性を有するポリマーを散在させた吸収体と、
液透過性のトップシートとを下からこの順に設け、周縁部を熱融着させるとともに、前記トップシート側である使用面にエンボス加工が形成された女性用失禁パッドにおいて、
前記エンボス加工が前記周縁部の内周にわたって不連続に形成され、
該形成されたエンボス加工が略矩形であり、
該エンボス加工の非形成部分が対称に４箇所あることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、請求項１の発明によれば、周縁部の内周にわたって形成されたエンボス加工が略矩形であり、そのエンボス加工の非形成部分が対称に４箇所あるので、尿を女性用失禁パッドの外部に漏らさないというエンボス加工の目的を保ちながら、製造時に女性用失禁パッドにエンボス加工を形成するために圧力を加えたときにも、エンボス部分が破れることがない。
【手続補正５】
【補正対象書類名】明細書
【補正対象項目名】００１０
【補正方法】変更
【補正の内容】
【００１０】
請求項２の発明は、請求項１に記載の女性用失禁パッドにおいて、前記エンボス加工の非形成部分の長さが２〜１０ｍｍであることを特徴とする。
【手続補正６】
【補正対象書類名】明細書
【補正対象項目名】００１１
【補正方法】変更
【補正の内容】
【００１１】
したがって、請求項２の発明によれば、エンボス加工の非形成部分の長さが２〜１０ｍｍであるので、尿を女性用失禁パッドの外部に漏らさないというエンボス加工の目的を保ちながら、製造時に女性用失禁パッドにエンボス加工を形成するために圧力を加えたときにも、エンボス部分が破れることがない。加えて、尿を吸収して吸収ポリマーが膨潤したときにもエンボス部分が破けることがない。
【手続補正７】
【補正対象書類名】明細書
【補正対象項目名】００１２
【補正方法】変更
【補正の内容】
【００１２】
請求項３の発明は、請求項１に記載の女性用失禁パッドにおいて、前記トップシートと前記吸収体との間に液透過性のセカンドシートを備えることを特徴とする。
【手続補正８】
【補正対象書類名】明細書
【補正対象項目名】００１３
【補正方法】変更
【補正の内容】
【００１３】
したがって、請求項３の発明によれば、トップシートと吸収体との間に液透過性のセカンドシートを備えるので、吸収速度を早めることが可能となる。
【手続補正９】
【補正対象書類名】明細書
【補正対象項目名】００１５
【補正方法】変更
【補正の内容】
【００１５】
また、請求項１に記載の発明によれば、周縁部の内周にわたって形成されたエンボス加工が略矩形であり、そのエンボス加工の非形成部分が対称に４箇所あるので、尿を女性用失禁パッドの外部に漏らさないというエンボス加工の目的を保ちながら、製造時に女性用失禁パッドにエンボス加工を形成するために圧力を加えたときにも、エンボス部分の破れを防止することができる。加えて、尿を吸収して吸収ポリマーが膨潤したときにもエンボス部分が破けることを防止し、着用者が快適に使用することができる。
【手続補正１０】
【補正対象書類名】明細書
【補正対象項目名】００１６
【補正方法】変更
【補正の内容】
【００１６】
請求項２に記載の発明によれば、エンボス加工の非形成部分の長さが２〜１０ｍｍであるので、尿を女性用失禁パッドの外部に漏らさないというエンボス加工の目的を保ちながら、製造時に女性用失禁パッドにエンボス加工を形成するために圧力を加えたときにも、エンボス部分の破れを防止することができる。加えて、尿を吸収して吸収ポリマーが膨潤したときにもエンボス部分が破れを防止し、不良品の発生を抑制することができる。
【手続補正１１】
【補正対象書類名】明細書
【補正対象項目名】００１７
【補正方法】変更
【補正の内容】
【００１７】
請求項３に記載の発明によれば、トップシートと吸収体との間に液透過性のセカンドシートを備えるので、吸収速度を早めることができる。加えて、液拡散性を有するセカンドシートとすると、吸収体全体に尿を拡散し、吸収体を均一に使用することができる。
【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
液不透過性のバックシートと、吸収ポリマーを散在させた吸収体と、液透過性のトップシートとを下からこの順に重ねて形成し、前記吸収体側部に起立してポケットを形成する立体ギャザーを備えた女性用失禁パッドにおいて、
前記吸収体の前記立体ギャザー内側近傍、かつ前記吸収体の使用面側に前記立体ギャザーに沿ってエンボス加工が形成され、
前記エンボス加工は不連続に複数形成されていることを特徴とする女性用失禁パッド。
【請求項２】
前記エンボス加工が前記立体ギャザーの起立位置の内側１０ｍｍ以内の位置に形成されていることを特徴とする請求項１に記載の女性用失禁パッド。
【請求項３】
前記エンボス加工が前記吸収体の長手方向中心線から１０〜３０ｍｍの位置に形成されていることを特徴とする請求項１に記載の女性用失禁パッド。
【請求項４】
前記エンボス加工が前記立体ギャザーのポケットが形成されている部分よりも長く形成されていることを特徴とする請求項１に記載の女性用失禁パッド。
【請求項５】
前記トップシートと前記吸収体との間に液透過性のセカンドシートを備えることを特徴とする請求項１に記載の女性用失禁パッド。
【手続補正２】
【補正対象書類名】明細書
【補正対象項目名】０００５
【補正方法】変更
【補正の内容】
【０００５】
このため、請求項１に記載の発明は、液不透過性のバックシートと、吸収ポリマーを散在させた吸収体と、液透過性のトップシートとを下からこの順に重ねて形成し、前記吸収体側部に起立してポケットを形成する立体ギャザーを備えた女性用失禁パッドにおいて、
前記吸収体の前記立体ギャザー内側近傍、かつ前記吸収体の使用面側に前記立体ギャザーに沿ってエンボス加工が形成され、
前記エンボス加工は不連続に複数形成されていることを特徴とする。
【手続補正３】
【補正対象書類名】明細書
【補正対象項目名】０００６
【補正方法】変更
【補正の内容】
【０００６】
請求項１の発明によれば、吸収体の立体ギャザー内側近傍、かつ吸収体の使用面側に立体ギャザーに沿ってエンボス加工が形成されているので、尿を吸収した際に吸収ポリマーによる立体ギャザー近傍の吸収体の膨潤を抑制する。
また、請求項１の発明の発明によれば、エンボス加工は不連続に複数形成されているので、製造時に女性用失禁パッドにエンボス加工を形成するために圧力を加えたときにも、エンボス部分が破れることがない。加えて、尿を吸収して吸収ポリマーが膨潤したときにもエンボス部分が破けることがない。
【手続補正４】
【補正対象書類名】明細書
【補正対象項目名】００１２
【補正方法】変更
【補正の内容】
【００１２】
請求項４の発明によれば、エンボス加工が立体ギャザーのポケットが形成されている部分よりも長く形成されているので、立体ギャザー近傍の吸収体が尿を吸収して膨潤することを防止し、立体ギャザーのポケットで尿を確実に堰き止めることを可能とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
請求項５の発明は、請求項１に記載の女性用失禁パッドにおいて、前記トップシートと前記吸収体との間に液透過性のセカンドシートを備えることを特徴とする。
【手続補正８】
【補正対象書類名】明細書
【補正対象項目名】００１６
【補正方法】変更
【補正の内容】
【００１６】
請求項５の発明によれば、トップシートと吸収体との間に液透過性のセカンドシートを備えるので、吸収速度を早めることが可能となる。
【手続補正９】
【補正対象書類名】明細書
【補正対象項目名】００１７
【補正方法】変更
【補正の内容】
【００１７】
請求項１に記載の発明によれば、吸収体の立体ギャザー内側近傍、かつ吸収体の使用面側に立体ギャザーに沿ってエンボス加工が形成されているので、尿を吸収した際に吸収ポリマーによる立体ギャザー近傍の吸収体の膨潤を抑制することができる。したがって、尿が立体ギャザーを乗越えて外部に漏れ出すことがなく、横漏れしない女性用失禁パッドを提供することができる。
また、請求項１に記載の発明によれば、エンボス加工は不連続に複数形成されているので、製造時に女性用失禁パッドにエンボス加工を形成するために圧力を加えたときにも、エンボス部分の破れを防止することができる。加えて、尿を吸収して吸収ポリマーが膨潤したときにもエンボス部分の破れを防止し、良品率の高い女性用失禁パッドを提供することができる。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】
請求項５に記載の発明によれば、トップシートと吸収体との間に液透過性のセカンドシートを備えるので、吸収速度を早めることができる。加えて、液拡散性を有するセカンドシートとすると、吸収体全体に尿を拡散し、吸収体を均一に使用することができる。
【手続補正書】
【提出日】平成18年1月17日(2006.1.17)
【手続補正１】
【補正対象書類名】明細書
【補正対象項目名】００１０
【補正方法】変更
【補正の内容】
【００１０】
透明又は半透明の発色顔料の鱗片状無機基質にはマイカフレーク，ガラスフレーク，シリカフレーク等が使用され、ＴｉＯ2，ＳｉＯ2，ＺｒＯ2，Ｆｅ2Ｏ3，ＳｎＯ2，Ｆｅ3Ｏ4，Ｃｒ2Ｏ3，ＺｎＯ，Ａｌ2Ｏ3等の透明又は半透明の金属酸化物で被覆することにより発色顔料が用意される。金属酸化物は単層で或いは２種以上を複層として鱗片状無機基質に設けられ、金属酸化物皮膜の膜厚に応じて発色を調整できる。
無色透明の粒状艶消し剤としては、シリカ，ガラス，ナイロン，尿素樹脂，アクリル樹脂，フッ素樹脂，ポリエチレン樹脂，ポリプロピレン樹脂等が単独で又は２種以上を複合して使用される。クリア塗膜を適度に粗面化する上では、粒径：１〜１０μｍの艶消し剤が好ましい。なお、本件明細書では、塗装原板の上に設けた膜厚１０μｍの艶消し剤無添加のクリア塗膜及び艶消し剤を１０質量％添加したクリア塗膜の色調をJIS Z8722に準拠して測定し、色差△Ｅが２以下となる艶消し剤を無色透明の粒状艶消し剤という。
【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
組織片を培養する培養装置であって、前記組織片を培養可能に内包する培養キャビティを形成するチャンバーと、該チャンバーに備えられ、前記培養キャビティ内への組織片の搬入出のために開閉するキャビティ開閉部と、前記組織片を前記培養キャビティ内の所定位置で挟持する組織片挟持部と、を備え、該組織片挟持部は少なくとも一方が培養面を形成し、他方が前記組織片を該培養面に密着するように押圧して挟持する培養装置。
【請求項２】
前記組織片挟持部は、前記キャビティ開閉部の開閉に伴って前記組織片挟持部による組織片の挟持状態を解除及び開始する、請求項１に記載の培養装置。
【請求項３】
前記組織片挟持部の前記培養面が前記チャンバーの一部を構成する請求項１または２に記載の培養装置。
【請求項４】
前記組織片挟持部は、第１のシート状体と第２のシート状体とを備え、これらのシート状体間に前記組織片を挟持する、請求項１〜３のいずれかに記載の培養装置。
【請求項５】
前記第１のシート状体と前記第２のシート状体の対向する周縁部のうち、少なくとも一部は互いに保持されるとともに、残部の周縁部の少なくとも一部は互いに開放可能に組織片出し入れ部を形成する、請求項４に記載の培養装置。
【請求項６】
前記第１のシート状体と前記第２のシート状体を含む前記組織片挟持部は、組織片出し入れ部を開口部として有する袋状体に形成されている、請求項５に記載の培養装置。
【請求項７】
前記組織片挟持部に形成される前記組織片出し入れ部は、前記培養キャビティ開閉部又はその近傍に位置するように固定されている、請求項５または請求項６に記載の培養装置。
【請求項８】
前記組織片出し入れ部は、前記培養キャビティ開閉部の開閉に伴って開閉する、請求項５〜７のいずれかに記載の培養装置。
【請求項９】
前記組織片出し入れ部が、前記培養キャビティ開閉部の少なくとも一部を構成する、請求項８に記載の培養装置。
【請求項１０】
前記組織片挟持部の少なくとも一部に複数の連通孔を有する、請求項１〜９のいずれかに記載の培養装置。
【請求項１１】
前記組織片挟持部の少なくとも一部はメッシュ状体である、請求項１〜１０のいずれかに記載の培養装置。
【請求項１２】
前記組織片挟持部の培養面に対向する面は、ドット状あるいはライン状の凸部を備える、請求項１〜１１のいずれかに記載の培養装置。
【請求項１３】
前記培養キャビティは、前記キャビティ開閉部において封止可能に形成されている、請求項１〜１２のいずれかに記載の培養装置。
【請求項１４】
前記チャンバーの少なくとも一部が可撓性を有する、請求項１〜１３のいずれかに記載の培養装置。
【請求項１５】
前記チャンバーは可撓性の袋状体である、請求項１４に記載の培養装置。
【請求項１６】
前記組織片挟持部は、前記チャンバーの変形に対して追従しない程度の剛性を有している、請求項１４又は１５に記載の培養装置。
【請求項１７】
前記組織片挟持部は可撓性を有している、請求項１４又は１５に記載の培養装置。
【請求項１８】
前記組織片挟持部は、培養時において前記培養キャビティ内の一定範囲において浮遊可能に形成されている、請求項１〜１７のいずれかに記載の培養装置。
【請求項１９】
前記チャンバーには、液体出し入れ部を備える、請求項１〜１８のいずれかに記載の培養装置。
【請求項２０】
前記チャンバーには、穿刺可能でありかつシール性を維持可能なシール材を有する流体注排出部を備える、請求項１〜１９のいずれかに記載の培養装置。
【請求項２１】
前記チャンバーには、ガス排出部を備える、請求項１〜１９のいずれかに記載の培養装置。
【請求項２２】
前記チャンバーは、酸素及び二酸化炭素透過性を備える、請求項１〜２１のいずれかに記載の培養装置。
【請求項２３】
骨膜組織片の培養装置である、請求項１〜２２のいずれかに記載の培養装置。
【請求項２４】
前記組織片挟持部は、前記チャンバーとは別体に構成されている請求項１〜２３のいずれかに記載の培養装置。
【請求項２５】
組織片を培養する培養装置であって、前記組織片を培養可能に内包する培養キャビティを形成するリッドとトレイで構成されるチャンバーと、該チャンバーに備えられ，前記培養キャビティ内への組織片の搬入出のために開閉するキャビティ開閉部と、前記組織片を前記培養キャビティ内の所定位置で挟持する組織片挟持部と、を備え、該組織片挟持部は少なくとも一方が培養面を形成し，他方が前記組織片を該培養面に密着するように押圧して挟持する、培養装置。
【請求項２６】
前記組織片挟持部は、前記培養面が前記トレイ底面で構成され、他方は前記リッドに設けられている請求項２５に記載の培養装置。
【請求項２７】
請求項２５または請求項２６に記載の培養装置において、前記培養キャビティは前記キャビティ開閉部において封止可能に形成されており、前記チャンバーには前記培養キャビティの密閉性を維持した状態でチャンバー内の流体を注排出可能な流体注排出部が設けられている培養装置。
【請求項２８】
請求項２４に記載の培養装置に使用可能な組織片狭持部。
【請求項２９】
組織片を培養する培養キットであって、
前記組織片を培養可能に内包可能な培養キャビティを形成するチャンバーと、
少なくとも一方が培養面を形成し，他方が前記組織片を該培養面に密着するように押圧して前記組織片を挟持可能であるとともに前記培養キャビティ内の所定位置に内包可能な組織片挟持部と、
を備える、培養キット。
【請求項３０】
前記チャンバーは、前記培養キャビティの密閉性を維持した状態でチャンバー内の流体を注排出可能な流体注排出部を備える請求項２９に記載の培養キット。
【請求項３１】
請求項３０に記載の培養キットは、さらに、前記流体注排出部を介して前記培養キャビティ内に流体の注排出が可能なシリンジを備える培養キット。
【手続補正書】
【提出日】平成18年3月9日(2006.3.9)
【手続補正１】
【補正対象書類名】明細書
【補正対象項目名】０００５
【補正方法】変更
【補正の内容】
【０００５】
【非特許文献１】「日本臨床」，１９９３年，第５１巻，第２号，ｐ．２９−３３
【非特許文献２】「ヌクレイック・アシッズ・リサーチ（Ｎｕｃｌｅｉｃ  Ａｃｉｄｓ  Ｒｅｓｅａｒｃｈ）」，（英国），１９８３年，第８巻，ｐ．１３
【非特許文献３】「ニューイングランド・ジャーナル・オブ・メディシン（New England of Medicine）」，（米国），１９９１年，第３２４巻，ｐ．１６９９−１７０４
【非特許文献４】「ランセット（Ｌａｎｃｅｔ）」，（英国），１９９０年，第３３６巻，ｐ．３２５−３２９
【非特許文献５】「ガストロエンテロロジー（Ｇａｓｔｒｏｅｎｔｅｒｏｌｏｇｙ）」，（米国），２００１年，第１２０巻，ｐ．１０００−１００８
【非特許文献６】「日本臨床」，１９９５年，第５３巻，増刊号，ｐ．３１０−３２４
【非特許文献７】「ヌクレイック・アシッズ・リサーチ（Ｎｕｃｌｅｉｃ  Ａｃｉｄｓ  Ｒｅｓｅａｒｃｈ）」，（英国），１９８３年，第１１巻，ｐ．１７４７−１７５７
【手続補正２】
【補正対象書類名】明細書
【補正対象項目名】００１１
【補正方法】変更
【補正の内容】
【００１１】
本発明の分析方法におけるＤＮＡ増幅工程では、Ｂ型肝炎ウイルスを含む可能性のある被検試料と、特定のオリゴヌクレオチドプライマーセットとを用いて、ＰＣＲ反応を実施する。
本発明の分析方法で分析することのできる前記被検試料は、Ｂ型肝炎ウイルスを含む可能性のある試料である限り、特に限定されるものではなく、例えば、血液、血漿、血清などを挙げることができる。
【手続補正書】
【提出日】平成18年3月9日(2006.3.9)
【手続補正１】
【補正対象書類名】明細書
【補正対象項目名】００１２
【補正方法】変更
【補正の内容】
【００１２】
逆転写反応工程で用いるオリゴヌクレオチドアンチセンスプライマーは、ＨＣＶを鋳型として用いる逆転写反応を実施した場合に、配列番号９で表される塩基配列における１番〜２４８番の塩基からなる配列を少なくとも含む領域を伸長可能であるプライマーである限り、特に限定されるものではなく、例えば、配列番号２で表される塩基配列からなるオリゴヌクレオチドプライマーを挙げることができる。なお、配列番号９で表される塩基配列は、ＨＣＶ（ＨＣＶ−Ｊ１株）の５’非翻訳領域の配列（配列番号９で表される塩基配列における１番〜３２４番の塩基からなる配列）と、それに続くコア領域の配列（配列番号９で表される塩基配列における３２５番〜３５０番の塩基からなる配列）とを含む。また、配列番号２で表される塩基配列は、配列番号９で表される塩基配列における２２９番〜２４８番の塩基からなる配列の相補的配列であり、この塩基配列は、日本人に多く見つかるＨＣＶの遺伝子II型（又は、Ｉｂ型）を参考にした［(1)特開平６−１８１７７４; (2) Japan J. Exp. Med., 60, 167〜177 (1990); (3) Japan J. Exp. Med., 60, 215〜222(1990); (4) J. Gen. Virol., 72, 2105〜2112(1991); (5) J. Virol., 65, 1105〜1113 (1991)］。参考までに、ＨＣＶ−Ｊ１株及びＨＣＶ−Ｊ４株［Japan J. Exp. Med., 60, 167〜177 (1990)］の５’非翻訳領域の配列と、それに続くコア領域の配列とを、図２に示す。
【手続補正２】
【補正対象書類名】明細書
【補正対象項目名】００１８
【補正方法】変更
【補正の内容】
【００１８】
配列番号１又は３〜８で表される各塩基配列は、ＨＣＶの分析に際して、ＨＣＶ遺伝子の他の塩基配列と比較して、患者サンプルを用いた陽性率が高い点で、好ましい。ＨＣＶはＲＮＡウイルスであるため、リボヌクレアーゼ（ＲＮａｓｅ）で分解される可能性があり、上流の５’−非翻訳領域の塩基配列を用いて検出すると陽性率が高くなるものと考えられる。
【手続補正書】
【提出日】平成18年9月12日(2006.9.12)
【手続補正１】
【補正対象書類名】明細書
【補正対象項目名】００１９
【補正方法】変更
【補正の内容】
【００１９】
そして、押圧体(１６)を固定体(１０)の内周面で押圧しながら、把持部本体(５)の外周螺溝(８)に、固定体(１０)の内周螺溝(１１)を螺着して締め付けることにより、係合体(１２)は、押圧体(１６)の底面で係合受部(７)方向に押圧付勢され、係合体(１２)の外周面に設けた弾性部材(１５)がテーパー状の係合受部(７)に密着してロッド本体(２)の回転を不能とする。尚、この弾性部材(１５)は必ずしも必要なものではなく、押圧体(１６)による係合体(１２)の押圧時に、係合体(１２)を係合受部(７)に回動すること無いよう圧着出来るもので有れば良く、係合体(１２)と係合受部(７)との接触面を、係合関係が生じる粗面に形成したり、凹凸部を形成するものであっても良い。
【手続補正２】
【補正対象書類名】明細書
【補正対象項目名】００２２
【補正方法】変更
【補正の内容】
【００２２】
この弾性環状体(２５)は、前方外周螺溝(２３)に前方固定体(２４)を螺着して締め付けた時に、前方固定体(２４)の内周面で圧着され、弾性変形してロッド本体(２)の外周面を挟持し、圧着固定する。従って、上記の如く前方固定体(２４)を把持部本体(５)に締め付けることにより、ロッド本体(２)は、弾性環状体(２５)を介して把持部本体(５)のコマセカップ(３)側でも固定される。このように、把持部本体(５)の他端部側のみならず、コマセカップ(３)側においてもロッド本体(２)を固定することにより、把持部本体(５)にロッド本体(２)をより強固に固定することが可能となり、釣り用ヒシャク(１)の長期間又は度重なる使用においてもロッド本体(２)が意に反して回動することなく、コマセカップ(３)の掬い面(２６)と把持部本体(５)の目印(２７)を最適な角度に保った状態で安定して使用することができる。
【手続補正３】
【補正対象書類名】明細書
【補正対象項目名】００２３
【補正方法】変更
【補正の内容】
【００２３】
又、上記の前方固定体(２４)は、前方外周螺溝(２３)に前方固定体(２４)を螺着して締め付けた時に、前方固定体(２４)の内周面で圧着され、弾性変形してロッド本体(２)の外周面を挟持する必要はあるが、上述の如くロッド本体(２)の外周面を圧着固定するまでの締め付けは必ずしも必要ではない。前記の固定体(１０)によるロッド本体(２)への締め付け固定力を補助するもので有れば良く、場合によってはロッド本体(２)と把持部本体(５)のガタツキを防止する程度のものであっても良い。
【手続補正４】
【補正対象書類名】明細書
【補正対象項目名】００２５
【補正方法】変更
【補正の内容】
【００２５】
そのため、釣り人は目印(２７)である凹凸部(２８)(３０)(３１)(３２)を手で握ることにより、把持部本体(５)に対する長さ方向及び円周方向の位置を把握することができ、自分の撒餌の投入フォームの癖、撒餌の粘度、投入距離などの種々の条件に対応して、前述の方法によりロッド本体(２)を把持部本体(５)に対して回動させ、コマセカップ(３)の掬い面(２６)の角度を調整し、自分が望む最適の位置に撒餌を投入することが可能となる。また、目印(２７)として、本実施例の如く複数の凹凸部(２８)(３０)(３１)(３２)を形成すれば、釣り人の手の５本の指を、しっかりと把持部本体(５)に係合することができるため、誤って手を滑らせたりすることなく、スナップをきかせた撒餌の投入を容易に行うことが可能となる。
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
バランスをとることによって操作者が操作する被操作部を移動自在に保持するアーム部を備えた保持装置において、
前記被操作部における重心を可動中心として、前記アーム部に前記被操作部を可動固定する可動支持手段を備えたことを特徴とする保持装置。
【請求項２】
バランスをとることによって操作者が操作する被操作部を移動自在に保持するアーム部を備えた観察装置において、
被検体像を撮像する撮像手段を備えた撮像ユニットと、
前記撮像ユニットにおける重心を可動中心として、前記被操作部に前記撮像ユニットを可動固定する可動支持手段とを備えたことを特徴とする観察装置。
【請求項３】
バランスをとることによって操作者が操作する被操作部を移動自在に保持するアーム部を備えた観察装置において、
被検体を撮像手段で撮像し、得られた被検体像を表示可能な表示手段を備えた表示ユニットと、
前記表示ユニットにおける重心を可動中心として、前記被操作部に前記表示ユニットを可動固定する可動支持手段とを備えたことを特徴とする観察装置。
【請求項４】
操作者により操作される被操作部と、
前記被操作部を移動自在に支持するアーム部と、
被検体像を撮像する撮像手段を備えた撮像ユニットと、
前記撮像ユニットにおける重心を可動中心として、前記撮像ユニットを前記被操作部に可動固定する第２の可動支持手段と、
前記撮像手段による被検体像を表示する表示手段を備えた表示ユニットと、
前記表示ユニットにおける可動中心として、前記表示ユニットを前記被操作部に可動固定する第３の可動支持手段と、
前記撮像ユニットおよび前記表示ユニットが可動固定された前記被操作部における重心を可動中心として、前記アーム部に前記被操作部を可動固定する第１の可動支持手段と、
を備えたことを特徴とする観察装置。
【手続補正２】
【補正対象書類名】明細書
【補正対象項目名】００１７
【補正方法】変更
【補正の内容】
【００１７】
本発明の観察装置は、前記目的を満足するためになされたものであり、請求項４として、操作者により操作される被操作部と、前記被操作部を移動自在に支持するアーム部と、被検体像を撮像する撮像手段を備えた撮像ユニットと、前記撮像ユニットにおける重心を可動中心として、前記撮像ユニットを前記被操作部に可動固定する第２の可動支持手段と、前記撮像手段による被検体像を表示する表示手段を備えた表示ユニットと、前記表示ユニットにおける可動中心として、前記表示ユニットを前記被操作部に可動固定する第３の可動支持手段と、前記撮像ユニットおよび前記表示ユニットが可動固定された前記被操作部における重心を可動中心として、前記アーム部に前記被操作部を可動固定する第１の可動支持手段とを備える。
前述した各構成によれば、被操作部の角度および位置を任意に可変しても、可動支持手段を備えたことにより、被操作部における重心が変化せず、バランス調整をやり直す必要がない。
【手続補正書】
【提出日】平成18年9月7日(2006.9.7)
【手続補正１】
【補正対象書類名】特許請求の範囲
【補正対象項目名】全文
【補正方法】変更
【補正の内容】
【特許請求の範囲】
【請求項１】
複数の図柄を少なくとも３つ以上の領域で変動表示し、内部抽選の抽選結果によって役が成立したことに応じて、遊技者の図柄停止操作入力により前記複数の領域において前記役ごとに設定された所定の図柄で停止制御可能とし、各前記複数の領域において成立した役の組み合わせで図柄が停止したことを条件に遊技者に多くの賞を提供し得る特別遊技へ移行し得るスロットマシンであって、
前記特別遊技での前記賞の最大提供可能数を予め記憶する記憶手段と、
前記記憶された最大提供可能数と前記特別遊技中の前記賞の提供数との相対関係を表示する表示手段と
を備えることを特徴とする遊技機。
【請求項２】
前記相対関係は、前記賞の最大提供可能数から前記特別遊技中の前記賞の提供数を差し引いた残り数であることを特徴とする請求項１に記載の遊技機。
【請求項３】
前記相対関係は、前記賞の最大提供可能数と前記特別遊技中の前記賞の提供数とを併せた表示であることを特徴とする請求項１に記載の遊技機。
【請求項４】
前記相対関係に応じた演出を行う演出制御手段をさらに備えることを特徴とする請求項１に記載の遊技機。
【請求項５】
前記演出は、画像表示されたキャラクタによる特定の演出であることを特徴とする請求項４に記載の遊技機。
【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
遊技媒体の通過を検出する通過検出手段と、該通過検出手段から出力される信号に基づいて所定の利益状態を発生させる制御を実行する制御装置とを備えた遊技機において、
非検出時にはハイ信号を出力し検出時にはロウ信号を出力する第１出力部と、非検出時にはロウ信号を出力し検出時にはハイ信号を出力する第２出力部とを前記通過検出手段に備えるとともに、前記第１出力部からロウ信号が出力されかつ前記第２出力部からハイ信号が出力された場合に遊技媒体の通過があったものと判断する判断手段を備え、該判断手段により遊技媒体の通過があったものと判断されると前記制御装置により所定の利益状態を発生させる制御が実行されるように構成したことを特徴とする遊技機。
【請求項２】
前記第１出力部又は第２出力部から出力されるいずれか一方の信号は、論理反転を行う論理反転手段を経由して前記判断手段に入力され、当該判断手段は入力された前記両信号の論理積を行う論理積手段であることを特徴とする請求項１記載の遊技機。
【請求項３】
前記第１出力部及び前記第２出力部から共にロウ信号又は共にハイ信号が出力された場合に、特定の通報を行う通報手段を備えたことを特徴とする請求項１又は２記載の遊技機。
【請求項４】
前記通過検出手段は、非検出時にはハイ信号を出力し検出時にはロウ信号を出力する前記第１出力部を備えた第１検出手段と、非検出時にはロウ信号を出力し検出時にはハイ信号を出力する前記第２出力部を備えた第２検出手段とを組み合わせることにより構成されていることを特徴とする請求項１乃至３のいずれかに記載の遊技機。
【請求項５】
遊技媒体の通過を検出する通過検出手段と、該通過検出手段から出力される信号に基づいて所定の利益状態を発生させる制御を実行する制御装置とを備えた遊技機において、
前記通過検出手段には、外部からの電源を入力する入力部と、非検出時にはハイ信号を出力し検出時にはロウ信号を出力する第１出力部と、非検出時にはロウ信号を出力し検出時にはハイ信号を出力する第２出力部とを設け、
前記通過検出手段と前記制御装置とをコネクタケーブルにより接続し、
前記制御装置は、制御基板とその制御基板を覆う基板ボックスとを有するとともに、その基板ボックスは開封されるとその開封履歴を目視できるように封印処理し、
前記制御基板には、前記入力部に電源を供給する電源部と、前記両出力部からの信号を入力して前記第１出力部からロウ信号が出力されかつ前記第２出力部からハイ信号が出力された場合に遊技媒体の通過があったものと判断する判断手段とを備えたことを特徴とする遊技機。
【手続補正書】
【提出日】平成18年8月31日(2006.8.31)
【手続補正１】
【補正対象書類名】特許請求の範囲
【補正対象項目名】請求項１
【補正方法】変更
【補正の内容】
【請求項１】
生きている魚を締める装置において、
魚の動きを規制しつつ所定の位置に保持する筒状の保持手段と、
この筒状の保持手段が台上を前後左右にスライドできるように構成されているフレームと、
保持手段内の魚を上から押さえて動きを規制するための押さえ部材と、
該保持手段で保持された状態の魚のエラ後部に向かって押し下げるように配設された刃と、
前記刃を左右に動かして狙った位置に押し下げるレバーを備えた刃支持機構と、
を備えていることを特徴とする魚締め装置。
【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
浴槽内にスチームを吹き出す吹き出し口と、前記スチームを発生させる温水を貯湯する貯湯槽と、前記温水の水位を検出する水位検出手段と、前記温水を沸かすヒータと、前記温水の温度を検出する温水温度検出手段と、前記貯湯槽内の温水を循環させるために設けられた吸入口及び噴出口と、前記吸入口から前記温水を吸込み前記噴出口から噴出させる循環ポンプと、前記噴出口から噴出された温水と該温水により熱供給を受けた水蒸気とを分離する気液分離手段と、前記水位検出手段及び温水温度検出手段を監視し前記循環ポンプを制御する制御手段と有するとともに、前記気液分離板に温水を噴出させスチームを発生させる運転モードと、前記貯湯槽に満水位置まで温水を注入して前記ヒータを加熱し前記運転モードより高い前記温水温度で前記貯湯槽内を循環させ殺菌する殺菌モードを有することを特徴とするスチーム発生装置。
【請求項２】
請求項１記載のスチーム発生装置において、前記制御手段は前記温水温度検出手段又は水位検出手段の出力が所定の値より大きい場合、前記循環ポンプ運転時の所定の回転数をより低く運転することで前記噴出口から出る温水の勢いを小さくすることを特徴とするスチーム発生装置。
【請求項３】
請求項１記載のスチーム発生装置において、前記制御手段は、前記運転モード時と前記殺菌モード時との循環ポンプの運転回転数が同じであり、前記殺菌モード時の前記循環ポンプ運転を間欠駆動することを特徴とするスチーム発生装置。
【請求項４】
請求項１乃至３記載のいづれか１つのスチーム発生装置において、前記制御手段は、前記スチーム吹き出し口にスチーム吹き出し温度を検出可能な吹き出しセンサを有するとともに、前記殺菌モード中は、前記吹き出しセンサの出力が所定値以上を超えると、前記循環ポンプ又は前記循環ポンプを停止させることを特徴とするスチーム発生装置。
【請求項５】
請求項１乃至４記載ののいづれか１つのスチーム発生装置において、前記スチーム発生装置は前記貯湯槽に貯湯された湯水を排水可能な排水手段を有し、前記浴槽内にスチームを吹き出す運転モード中は、前記貯湯槽の貯湯量が所定量を超えると、前記循環ポンプ又は前記循環ポンプを停止させると共に、前記貯湯槽の湯水を排水することを特徴とするスチーム発生装置。
【手続補正２】
【補正対象書類名】明細書
【補正対象項目名】０００５
【補正方法】変更
【補正の内容】
【０００５】
上記目的を達成するために請求項１記載の発明によれば、浴槽内にスチームを吹き出す吹き出し口と、前記スチームを発生させる温水を貯湯する貯湯槽と、前記温水の水位を検出する水位検出手段と、前記温水を沸かすヒータと、前記温水の温度を検出する温水温度検出手段と、前記貯湯槽内の温水を循環させるために設けられた吸入口及び噴出口と、前記吸入口から前記温水を吸込み前記噴出口から噴出させる循環ポンプと、前記噴出口から噴出された温水と該温水により熱供給を受けた水蒸気とを分離する気液分離手段と、前記水位検出手段及び温水温度検出手段を監視し前記循環ポンプを制御する制御手段と有するとともに、前記気液分離板に温水を噴出させスチームを発生させる運転モードと、前記貯湯槽に満水位置まで温水を注入して前記ヒータを加熱し前記運転モードより高い前記温水温度で前記貯湯槽内を循環させ殺菌する殺菌モードを有するので、温水回収タンク内を満水状態にし、蒸気の生成・供給経路内においても加熱でき効果的に殺菌出来る。
【手続補正３】
【補正対象書類名】明細書
【補正対象項目名】０００６
【補正方法】変更
【補正の内容】
【０００６】
また、請求項２記載の発明によれば、請求項１記載のスチーム発生装置において、前記制御手段は前記温水温度検出手段又は水位検出手段の出力が所定の値より大きい場合、前記循環ポンプ運転時の所定の回転数をより低く運転することで前記噴出口から出る温水の勢いを小さくすることにより、高温のスチームが浴槽内に吹き出したり、高温の湯水が浴槽内にあふれ出すことがなく、安全性を高めることを可能とした。
【手続補正４】
【補正対象書類名】明細書
【補正対象項目名】０００７
【補正方法】変更
【補正の内容】
【０００７】
また、請求項３記載の発明によれば、請求項１記載のスチーム発生装置において、前記制御手段は、前記運転モード時と前記殺菌モード時との循環ポンプの運転回転数が同じであり、前記殺菌モード時の前記循環ポンプ運転を間欠駆動することにより、制御手段にポンプの回転数可変手段を持つ必要がなく、制御手段を簡単に構成する事ができ、高温のスチームが浴槽内に吹き出したり、高温の湯水が浴槽内にあふれ出すことがなく、安全性を高めることを可能とした。
【手続補正５】
【補正対象書類名】明細書
【補正対象項目名】０００８
【補正方法】変更
【補正の内容】
【０００８】
また、請求項４記載の発明によれば、請求項１乃至３記載のいづれか１つのスチーム発生装置において、前記制御手段は、前記スチーム吹き出し口にスチーム吹き出し温度を検出可能な吹き出しセンサを有するとともに、前記殺菌モード中は前記吹き出しセンサの出力が所定値以上を超えると、前記循環ポンプ又は前記循環ポンプを停止させるため、漏水等により、熱交換タンク内の水位が下がってスチームが発生した場合においても、直ちにポンプを停止出来るため、高温のスチームが浴槽内に吹き出し続けることが無く、安全性を高めることを可能とした。
【手続補正６】
【補正対象書類名】明細書
【補正対象項目名】０００９
【補正方法】変更
【補正の内容】
【０００９】
請求項５記載の発明によれば、請求項１乃至４記載ののいづれか１つのスチーム発生装置において、前記スチーム発生装置は前記貯湯槽に貯湯された湯水を排水可能な排水手段を有し、前記浴槽内にスチームを吹き出す運転モード中は、前記貯湯槽の貯湯量が所定量を超えると、前記循環ポンプ又は前記循環ポンプを停止させると共に、前記貯湯槽の湯水を排水するため、給水経路の故障などにより熱交換タンク内の水位が上昇し続けたとしても、熱交換タンク内の湯水が浴槽内にあふれ出す前に、排水出来る。
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
入射したＸ線を光に変換するチャンネル方向とスライス方向にマトリックス状に配列された複数のシンチレータ素子と、前記シンチレータ素子で発せられた光を受光し電気信号に変換する光検出器と、前記シンチレータ素子の前記光検出器と接する面以外を囲い前記シンチレータ素子間に発生する光学的クロストークを遮断する遮光手段とから成るマルチスライスＸ線ＣＴ装置用Ｘ線検出器において、前記遮光手段は、多層構造を有してなることを特徴とするマルチスライスＸ線ＣＴ装置用Ｘ線検出器。
【請求項２】
請求項１に記載のマルチスライスＸ線ＣＴ装置用Ｘ線検出器において、前記多層構造は、前記シンチレータ各素子から発せられる光を反射する光反射層と、前記光反射層を透過した光を遮光する透過光遮光層と、を含むことを特徴とするマルチスライスＸ線ＣＴ装置用Ｘ線検出器。
【請求項３】
Ｘ線源と、チャンネル方向とスライス方向にマトリックス状に複数のシンチレータ素子が配列されたＸ線検出器とを対向して配置し、前記Ｘ線源と前記Ｘ線検出器とを同一回転中心の円軌道面上で回転移動させながら、回転中心軸上に配置された被検体のＸ線源弱データを前記Ｘ線検出器で検出し、更に該撮影したＸ線源弱データを基に画像再構成演算を行うことにより、前記Ｘ線源と前記Ｘ線検出器の前記被検体のまわりの１回転により前記被検体の複数のスライス画像を得ることができるマルチスライスＸ線ＣＴ装置において、前記Ｘ線検出器は請求項１または２に記載のマルチスライスＸ線ＣＴ装置用Ｘ線検出器であることを特徴とするマルチスライスＸ線ＣＴ装置。
【手続補正２】
【補正対象書類名】明細書
【補正対象項目名】０００８
【補正方法】変更
【補正の内容】
【０００８】
本発明の第一の特徴によれば、入射したＸ線を光に変換するチャンネル方向とスライス方向にマトリックス状に配列された複数のシンチレータ素子と、前記シンチレータ素子で発せられた光を受光し電気信号に変換する光検出器と、前記シンチレータ素子の前記光検出器と接する面以外を囲い前記シンチレータ素子間に発生する光学的クロストークを遮断する遮光手段とから成るマルチスライスＸ線ＣＴ装置用Ｘ線検出器において、前記遮光手段は、多層構造を有して成ることを特徴とするマルチスライスＸ線ＣＴ装置用Ｘ線検出器が提供される。
【手続補正書】
【提出日】平成18年9月12日(2006.9.12)
【手続補正１】
【補正対象書類名】明細書
【補正対象項目名】０００９
【補正方法】変更
【補正の内容】
【０００９】
本発明の実施例を以下に図示しながらさらに詳しく説明するが、これは代表的なものを示したものであり、本実施例により本発明が限定されるものではない。図１は本発明の一実施例を示す構成図である。圧縮ボンベ１０に１９ＭＰａ程度に圧縮されて充填された二酸化炭素は、レギュレーター（減圧弁）１４を介して、０．２ ＭＰａ程度に減圧され、泡噴出部１８の噴出口２０に装着された高分子樹脂フィルムにクレーズを生成してなる通気性フィルム（以下「通気性フィルム」という。）２２を加圧して透過される。通気性フィルムを透過した二酸化炭素は、液中に融合しやすい加圧された微細な気泡の形態で水槽水、及び浴槽水２４に放出され溶存二酸化炭素量が富加される。この場合水中に放出される気泡は一般に微細な気泡と称されるマイクロ・ナノ単位の大きさの気泡である。
【手続補正書】
【提出日】平成18年3月20日(2006.3.20)
【手続補正１】
【補正対象書類名】特許請求の範囲
【補正対象項目名】全文
【補正方法】変更
【補正の内容】
【特許請求の範囲】
【請求項１】
輸送船で輸送された淡水を貯留手段に貯留し、この淡水を必要時に前記淡水貯留手段から取水して使用する淡水供給システムにおいて、
前記淡水を要求する国の各種情報と、前記淡水の分析情報と、前記淡水を前記国輸送する輸送手段の各種情報とを送受信する管理情報をまとめる管理手段と、この管理手段からの前記情報から前記淡水の移動量、価格、移動元、移動先を決定することを特徴とする淡水供給システム。
【請求項２】
輸送船で輸送された淡水を貯留手段に貯留し、この淡水を必要時に前記淡水貯留手段から取水して使用する淡水供給システムにおいて、
複数個設けられた前記淡水貯留手段と、これらの淡水貯留手段を相互に接続する給排水手段と、前記淡水貯留手段内に設けられた淡水貯留量検知手段と、この淡水貯留量検知手段からのデータを基に作動する輸送量制御手段とを備え、前記給排水手段により前記淡水貯留手段間の淡水の輸送量を制御することを特徴とする淡水供給システム。
【請求項３】
輸送船で輸送された淡水を貯留手段に貯留し、この淡水を必要時に前記淡水貯留手段から取水して使用する淡水供給システムにおいて、
複数個設けられた前記淡水貯留手段と、これらの淡水貯留手段を相互に接続する淡水輸送手段と、各淡水貯留手段から給水される側の淡水使用量予測手段と、この淡水使用量予測手段からのデータに基づき作動する輸送量制御手段とを備え、前記淡水輸送手段により前記淡水貯留手段間の淡水の輸送量を制御することを特徴とする淡水供給システム。
【請求項４】
請求項３に記載の淡水供給システムにおいて、
前記淡水貯留手段から給水される側の淡水使用量予測手段のデータが給水される地域の過去、現在を含む将来の気象予測データを算出することを特徴とする淡水供給システム。
【請求項５】
請求項３に記載の淡水供給システムにおいて、
前記淡水貯留手段から給水される側の淡水使用量予測手段のデータが、給水される植物の生育過程のデータや、育成状態を示す画像データであることを特徴とする淡水供給システム。
【請求項６】
輸送船で複数の陸上域に輸送された淡水を貯留手段に貯留し、この淡水を必要時に前記淡水貯留手段から取水して使用する淡水供給システムにおいて、
前記陸上域における前記淡水貯留手段内に設けられた淡水貯留量検知手段からのデータに基づき、前記淡水を有する輸送船の輸送先を前記陸上域に指示する輸送船の輸送先指示手段で輸送量を制御することを特徴とする淡水供給システム。
【請求項７】
請求項６に記載の淡水供給システムにおいて、
前記淡水貯留量検知手段のデータ、気象予測データ、植物の生育過程のデータ、淡水使用量予測手段のデータ、淡水貯留量検知手段のデータ、淡水の水質検知手段のデータ、淡水受水価格のデータ、行先指示手段の内の少なくとも１つ以上の情報をインターネット上で接続し、前記情報の入手、整理、配信を管理する管理手段を設けたことを特徴とする淡水供給システム。
【請求項８】
複数の水源から供給される淡水を輸送船で輸送して貯留手段に貯留し、この淡水を必要時に前記淡水貯留手段から取水して使用する淡水供給システムにおいて、
前記水源の淡水から水量、水質を検出する検知手段からのデータに基づき、前記淡水を輸送する前記輸送船が向かうべき行先指示手段で指示することを特徴とする淡水供給システム。
【請求項９】
複数の水源から供給される淡水を輸送船で輸送して陸上域の貯留手段に貯留し、この淡水を必要時に前記淡水貯留手段から取水して使用する淡水供給システムにおいて、
前記水源の淡水から受水価格を検出する淡水検知手段からのデータに基づき、前記淡水を輸送する前記輸送船が向かうべき水源先を前記輸送船の行先指示手段で指示することを特徴とする淡水供給システム。
【請求項１０】
複数の水源から供給される淡水を輸送船で輸送して陸上域の貯留手段に貯留し、この淡水を必要時に前記淡水貯留手段から取水して使用する淡水供給システムにおいて、
前記淡水の水質検知手段からのデータ、淡水受水価格のデータ、行先指示情報、淡水受け入れ側の許可書類の内、少なくとも１つ以上の情報をインターネット上で接続し、情報管理手段を介して淡水の売買を成立させ、輸送淡水の水質情報をインターネット上で輸送先に配信することを特徴とする淡水供給システム。
【手続補正書】
【提出日】平成18年3月14日(2006.3.14)
【手続補正１】
【補正対象書類名】特許請求の範囲
【補正対象項目名】請求項１
【補正方法】変更
【補正の内容】
【請求項１】
犬の左右各脚の歩数を各々独立に検出する左右１対の歩数検出手段と、
前記各歩数の検出のタイミングを比較して、犬の歩様を判定する歩様判定手段と、
犬の体重を入力する体重入力手段と、
前記各歩数と体重と前記判定された歩様とに基づいて、前記歩様に伴う消費エネルギー量を算出する消費エネルギー量算出手段とを有することを特徴とする犬用運動管理装置。
【手続補正２】
【補正対象書類名】特許請求の範囲
【補正対象項目名】請求項７
【補正方法】変更
【補正の内容】
【請求項７】
前記歩様判定手段は、脚を左右交互に動かすトロット歩行と、左右同時に動かすギャロップ歩行とを判定することを特徴とする請求項１記載の犬用運動管理装置。
【手続補正３】
【補正対象書類名】明細書
【補正対象項目名】０００８
【補正方法】変更
【補正の内容】
【０００８】
上記課題を解決するために本発明は、犬の左右各脚の歩数を各々独立に検出する左右１対の歩数検出手段と、前記各歩数の検出のタイミングを比較して、犬の歩様を判定する歩様判定手段と、犬の体重を入力する体重入力手段と、前記各歩数と体重と前記判定された歩様とに基づいて、前記歩様に伴う消費エネルギー量を算出する消費エネルギー量算出手段とを有する犬用運動管理装置を提供する。
【手続補正４】
【補正対象書類名】明細書
【補正対象項目名】００１４
【補正方法】変更
【補正の内容】
【００１４】
前記歩様判定手段は、脚を左右交互に動かすトロット歩行と、左右同時に動かすギャロップ歩行とを判定する。
【手続補正５】
【補正対象書類名】明細書
【補正対象項目名】００１５
【補正方法】変更
【補正の内容】
【００１５】
本発明の犬用運動管理装置は、犬の左右各脚の歩数を各々独立に検出する左右１対の歩数検出手段と、前記各歩数の検出のタイミングを比較して、犬の歩様を判定する歩様判定手段と、犬の体重を入力する体重入力手段と、前記各歩数と体重と前記判定された歩様とに基づいて、前記歩様に伴う消費エネルギー量を算出する消費エネルギー量算出手段とを有することから、犬の運動量を正確に反映させた消費エネルギー量を算出することができ、精度の高い運動管理が可能である。
【手続補正６】
【補正対象書類名】明細書
【補正対象項目名】００２１
【補正方法】変更
【補正の内容】
【００２１】
前記歩様判定手段は、脚を左右交互に動かすトロット歩行と、左右同時に動かすギャロップ歩行とを判定することにより、歩様による運動量の差異を明確にし、正確なエネルギー量を算出することが可能である。
【手続補正７】
【補正対象書類名】明細書
【補正対象項目名】００２３
【補正方法】変更
【補正の内容】
【００２３】
本発明の犬用運動管理装置は、犬の左右各脚の歩数を各々独立に検出する左右１対の歩数検出手段と、前記各歩数の検出のタイミングを比較して、犬の歩様を判定する歩様判定手段と、犬の体重を入力する体重入力手段と、前記各歩数と体重と前記判定された歩様とに基づいて、前記歩様に伴う消費エネルギー量を算出する消費エネルギー量算出手段とを有し、犬の運動量を正確に反映させた消費エネルギー量を算出する。
【手続補正８】
【補正対象書類名】明細書
【補正対象項目名】００２５
【補正方法】変更
【補正の内容】
【００２５】
本発明の実施例１は、犬の左右前脚の歩数を各々独立に検出し、前記歩数検出のタイミングにより犬の歩様を判定する。また犬の形態計測値から体重と体脂肪率とを推定し、前記歩様に伴う消費エネルギー量を算出する。更に前記体重と体脂肪率とから算出した除脂肪量に基づいて安静時エネルギー量を求め、前記消費及び安静時エネルギー量により１日に必要な摂取エネルギーを算出することにより、犬の運動量に基づく健康管理を可能とするものである。
【手続補正書】
【提出日】平成18年9月28日(2006.9.28)
【手続補正１】
【補正対象書類名】明細書
【補正対象項目名】００１８
【補正方法】変更
【補正の内容】
【００１８】
可動レンズ群Ｌ２は、駆動装置３及び駆動制御回路４により、固定レンズ群Ｌ１から離れて支持枠１２の一端部１２ａが当接する短焦点距離端Ｗと、固定レンズ群Ｌ１に近づいて支持枠１２の他端部１２ｂが固定枠１３に当接する長焦点距離端Ｔとに駆動される。可動レンズ群Ｌ２の移動は支持枠１２と固定枠１３が当接することにより規制されるので、偏心等の影響による性能劣化を抑えられ、多焦点変倍光学系Ｌの焦点距離を高精度に切替可能である。多焦点変倍光学系Ｌの焦点距離は、可動レンズ群Ｌ２が短焦点距離端Ｗに位置するとき第１焦点距離ｆｓとなり、可動レンズ群Ｌ２が長焦点距離端Ｔに位置するとき第２焦点距離ｆｔとなる。